(57)【要約】  本発明は、ＹＩＧバンドパスフィルタ（１）用のベース本体（２）に関する。このベース本体（２）は、非磁性金属から形成され、ベース本体（２）内に形成されているフィルタ室（３）を含み、且つ、そのフィルタ室（３）にはＹＩＧ要素（１０）が入っている。渦電流を抑制するために、ベース本体（２）には、凹み（７、９）及び／又は半径方向のスロット（８）が形成されている。
2008521298.tif 000002
【特許請求の範囲】
【請求項１】
非磁性金属から構成された、ＹＩＧバンドパスフィルタ（１）用のベース本体（２）であって、
前記ベース本体（２）に接続されて、前記ベース本体（２）内に形成されているフィルタ室（３）と、
前記フィルタ室（３）内に設けられているＹＩＧ要素（１０）と、
渦電流を抑制するために、前記フィルタ室（３）内に形成されている凹み（７、９）及び／又は半径方向のスロット（８）と、
前記フィルタ室（３）に接続せず、完全に前記フィルタ室（３）と前記フィルタ室（３）との間に設けられている少なくとも１つの内側凹み（９）と、
を含むことを特徴とするベース本体（２）。
【請求項２】
前記凹み（７、９）及び／又は前記半径方向のスロット（８）が、ベース本体（２）の軸方向の全厚にわたって延びていることを特徴とする請求項１に記載のベース本体（２）。
【請求項３】
前記スロット（８）が、前記フィルタ室（３）と前記フィルタ室（３）との間で半径方向外向きに延びていることを特徴とする請求項１又は２に記載のベース本体（２）。
【請求項４】
前記凹み（７）の数、及び／又は前記スロット（８）の数が２つであることを特徴とする請求項１乃至３のいずれかに記載のベース本体（２）。
【請求項５】
前記凹み（７）が、円形の断面、丸みをつけられた断面を持つか、或いは、長円形の穴形状を有することを特徴とする請求項１乃至４のいずれかに記載のベース本体（２）。
【請求項６】
少なくとも１つの外側凹み（７）が、前記フィルタ室（３）の外側で半径方向に設けられていることを特徴とする請求項１乃至５のいずれかに記載のベース本体（２）。
【請求項７】
前記外側凹み（７）が、スロット（８）上に設けられるように構成されていることを特徴とする請求項６に記載のベース本体（２）。
【請求項８】
前記内側凹み（９）が十字形の形状を有することを特徴とする請求項１に記載のベース本体（２）。
【発明の詳細な説明】
【技術分野】
【０００１】
本発明は、請求項１の前提項によるＹＩＧバンドパスフィルタ用のベース本体（basic body）に関する。
【背景技術】
【０００２】
ＹＩＧバンドパスフィルタは、好ましくは球の形状を呈するＹＩＧ要素を少なくとも１つ持っており、イットリウム−鉄−ガーネット（ＹＩＧ）から作られている。この共振器効果は、結合ライン（coupling line）を用いてもたらされる。
【０００３】
ＹＩＧバンドパスフィルタは、例えば、特許文献１から知られている。それにより、同調可能なＹＩＧバンドパスフィルタは、固定磁極、固定磁極から間隔が置かれている回転可能な磁極、及び、これらの磁極と、複数の共振器（ＹＩＧ要素）との間の磁界を変化させる電磁石を持っている。また、複数の共振器は相互に結合されて、これらの磁極間の磁界の中に配置されている。フェリ磁性共振器の数は３つ以上であって、それぞれ、１つの入力共振器と１つの出力共振器、及び、その入力共振器とその出力共振器との間に置かれている少なくとも１つの共振器である。これら２つの磁極の間の磁界により、これらの共振器が同一共振周波数に同調されるように、上記の同調可能な磁極を回転させる。
【特許文献１】米国特許第５，２９４，８９９号明細書
【０００４】
例えばスペクトラム・アナライザに必要である周波数決定磁界の急速な離調のために、同調速度を限定する渦電流が、ＹＩＧバンドパスフィルタの一体式ベース本体に誘導されることは、上記の公報から知られているＹＩＧバンドパスフィルタでは特に不利である。
【発明の開示】
【発明が解決しようとする課題】
【０００５】
よって、本発明の目的は、同調によりベース本体に起こされる渦電流の誘導を減らすようなＹＩＧフィルタ用ベース本体を作り出すことである。
【０００６】
この目的は、このベース本体に関して、請求項１の特徴づける構成により達成される。
【０００７】
本発明によるベース本体の有利な開発が、これらの従属項に示されている。
【発明を実施するための最良の形態】
【０００８】
本発明の好ましい一実施形態は、次に例示として図示され、且つ、次の説明において、更に詳しく説明されている。
【０００９】
図１は、ベース本体２を持つＹＩＧバンドパスフィルタ１の一実施形態を略平面図で示したものであって、この実施形態では、４つのフィルタ室３が、ベース本体２内に形成されており、且つ、同数のＹＩＧ要素１０を備えている。
【００１０】
これらのフィルタ室３は、スロット４を用いて互いに連通されている。フィルタ室３には、わかりやすくするために、更に詳しくは描かれてない結合ラインが、挿入されていて、共振器１０間に共振器効果を与える。それにより、フィルタ室３の数は、４つには限定されなくて、それよりも少ないか、或いはそれよりも多いこともある。
【００１１】
ＹＩＧバンドパスフィルタ１は別の構成要素を含み、また、それらの構成要素は、本発明による手段とは無関係であって、それゆえ、概観としてのみ図示されている。この実施形態において、１つの結合ライン５と１つの減結合ライン５がそれぞれ、ベース本体２内で、反対側の位置に置かれている。ＹＩＧ要素１０用の調整装置６は、この実施形態において、４つのＹＩＧ要素１０を、これらの結合ラインに対して正確に位置づけできるようにするものであって、それに対応する数だけ含まれている。ＹＩＧ要素１０は、リテーナ１１に取り付けられる。リテーナ１１は、調整装置６を用いて、描かれてない結合ラインに対して位置を調整できる。
【００１２】
ＹＩＧバンドパスフィルタ１のフィルタ効果は、共振器１０の結合に基づいている。共振器１０は、共振の間、上記結合ラインから減結合ラインにエネルギーを伝達できるようにするが、但し、共振以外では、このようなエネルギーの伝達を阻止する。ＹＩＧバンドパスフィルタ１の動作周波数は、加えられた磁界の強さによりほぼ決定される。
【００１３】
この磁界を与えるために、ＹＩＧ要素１０は、ベース本体２内で、電磁石のエアギャップに置かれる。それにより、ベース本体２は、非磁性金属でできている。しかしながら、これは、すでに上に述べられたように機械加工が簡単であるという利点と、渦電流が誘導されることがあるという欠点とを持っている。更に、この金属製のベース本体２は、密閉した導電面をできるだけ用いて、個々のＹＩＧフィルタ段を結合する目的で役立つ。
【００１４】
上記の渦電流は、最初の磁界とは逆向きの磁界を作り出し、それゆえ、その同調速度を限定する。それにより、フィルタ室３の該当領域内の渦電流が、特に重要である。これは、このような渦電流が、ＹＩＧ要素１０の該当場所での周波数決定磁界を直接に妨げるからである。
【００１５】
これらの欠点を排除するために、本発明によるベース本体２には、ベース本体２に凹み７とスロット８が連通されている。凹み７とスロット８は、ＹＩＧバンドパスフィルタ１の急速な同調によりベース本体２に誘導される渦電流を抑制するのに役立つ。
【００１６】
外側凹み７は、フィルタ室３の外部で半径方向に設けられている。スロット８は、フィルタ室３とフィルタ室３との間で外側に延びている。凹み７は、円形の断面、丸みをつけられた断面を持つか、或いは、長円形の穴形状を呈する。外側凹み７と、外側凹み７に連通されているスロット８がベース本体２に形成されていて、特にＹＩＧ要素１０のすぐ近くで渦電流を遮断できるようにしている。このような目的で、少なくとも１つのスロット８（この実施形態では、２つのスロット８）が、ベース本体２内で、内側から外側に半径方向に設けられて、密閉したベース本体の遮断、それゆえ、渦電流の遮断が、ＹＩＧ要素１０の周りで、半径方向外側の領域に行われるようにしている。内側領域において、外側凹み７とスロット８が交わっている。ベース本体２の半径方向内側の領域の渦電流を減らすために、フィルタ室３とフィルタ室３との間に、この実施形態では十字形の形状を持つ別の内側凹み９が設けられている。
【００１７】
それにより、ベース本体２内の外側凹み７と内側凹み９、及びスロット８が、ベース本体２の全軸方向延長部分に設けられて、渦電流を充分に抑制できるようにする。
【００１８】
フィルタ室３の数と、残りの構成要素の配置により、１つのスロット８を持つベース本体２、或いは複数のスロット８を持つベース本体２が可能である。個々の構成要素を組み立てるために、単にベース本体２の機械的安定性にだけ注意を払う必要がある。
【００１９】
本発明は、描かれた実施形態には限定されず、自由裁量で構成されたどのＹＩＧバンドパスフィルタ１にも適している。それにより、個々の特徴は、どんなやり方でも互いに組み合わせることができる。
【図面の簡単な説明】
【００２０】
【図１】ＹＩＧバンドパスフィルタの本発明により形成されるベース本体の一実施形態の略平面図
【符号の説明】
【００２１】
１  ＹＩＧバンドパスフィルタ
２  ベース本体
３  フィルタ室
４  スロット
５  結合ライン
６  調整装置
７  凹み
８  スロット
９  内側凹み
１０  ＹＩＧ要素
１１  リテーナ
【図１】
2008521298.tif 000003
【国際調査報告】
2008521298.tif 000004
2008521298.tif 000005
2008521298.tif 000006
2008521298.tif 000007